(57)【要約】【課題】温度及び有機発光ダイオードの抵抗の変化にもかかわらず、均一な輝度の映像を表示できるようにした有機電界発光表示装置を提供する。【解決手段】１フレームに含まれた複数のサブフレームの走査期間ごとに、走査線に走査信号を順次供給するための走査駆動部と、前記走査信号が供給されるとき、データ線にデータ信号を供給するためのデータ駆動部と、前記走査線及びデータ線の交差部に位置し、第２電源と電源線とを経由して第１電源が供給される画素を含む画素部と、該画素部に含まれ、前記第２電源と前記電源線とを経由することなく、電源ブロックから第３電源が供給される特定の画素と、該特定の画素に供給される電流量に対応して前記第３電源の電圧値を制御し、前記第３電源と同じ電圧値を有する前記第１電源を生成して前記画素に供給するための前記電源ブロックと、を備える。【選択図】図２
2009031711.tif 000002
【特許請求の範囲】
【請求項１】
１フレームに含まれた複数のサブフレームの走査期間ごとに、走査線に走査信号を順次供給するための走査駆動部と、
前記走査信号が供給されるとき、データ線にデータ信号を供給するためのデータ駆動部と、
前記走査線及びデータ線の交差部に位置し、第２電源と電源線とを経由して第１電源が供給される画素を含む画素部と、
該画素部に含まれ、前記第２電源と前記電源線とを経由することなく、電源ブロックから第３電源が供給される特定の画素と、
該特定の画素に供給される電流量に対応して前記第３電源の電圧値を制御し、前記第３電源と同じ電圧値を有する前記第１電源を生成して前記画素に供給するための前記電源ブロックと、
を備えることを特徴とする有機電界発光表示装置。
【請求項２】
前記電源ブロックは、
前記第３電源を生成するための第１電源部と、
該第１電源部と前記特定の画素との間に位置する感知抵抗と、
前記特定の画素に流れる電流量に対応して前記感知抵抗に印加された電圧を増幅するための第１アンプと、
該第１アンプに印加された電圧を直流電圧に変換し、所定の期間保持しつつ、前記第１電源部に供給するための第２アンプと、
を備えることを特徴とする請求項１に記載の有機電界発光表示装置。
【請求項３】
前記第１電源部は、前記特定の画素に所望の電流が流れたとき、前記感知抵抗に印加されるべき基準電圧と前記第２アンプから供給される電圧とを比較し、前記第２アンプから供給される電圧が前記基準電圧と同一になることができるように前記第３電源の電圧値を調整することを特徴とする請求項２に記載の有機電界発光表示装置。
【請求項４】
前記電源ブロックは、
前記第１電源を生成するための第２電源部と、
前記第１電源と前記第３電源との電圧値を比較するための比較部と、
をさらに備えることを特徴とする請求項３に記載の有機電界発光表示装置。
【請求項５】
前記第２電源部は、前記比較部の比較結果に対応して、前記第１電源と前記第３電源とが同じ電圧値に設定されるように前記第１電源の電圧値を調整することを特徴とする請求項４に記載の有機電界発光表示装置。
【請求項６】
前記第２アンプは、ピークツーピークホールドアンプ（Ｐｅａｋ  ｔｏ  Ｐｅａｋ  Ｈｏｌｄ  Ａｍｐ）であることを特徴とする請求項２に記載の有機電界発光表示装置。
【請求項７】
前記データ駆動部は、前記走査信号が供給される期間、前記データ線に前記画素が発光する第１データ信号及び前記画素が発光しない第２データ信号のいずれか１つのデータ信号を供給することを特徴とする請求項１に記載の有機電界発光表示装置。
【請求項８】
前記データ駆動部は、前記１フレーム期間の少なくとも１つ以上のサブフレーム期間、前記第１データ信号を前記特定の画素に供給することを特徴とする請求項７に記載の有機電界発光表示装置。
【請求項９】
１フレームが複数のサブフレームに分けられて駆動される有機電界発光表示装置の駆動方法において、
画素部に含まれた特定の画素に第３電源の電圧を供給するステップと、
感知抵抗を用いて前記特定の画素に流れる電流に対応する電圧を取り出すステップと、
前記特定の画素に所望の電流が流れたとき、前記感知抵抗に印加されるべき基準電圧と前記感知抵抗から取り出された電圧とが同一になることができるように前記第３電源の電圧を調整するステップと、
前記第３電源と同じ電圧を有する第１電源の電圧を前記画素部に含まれる画素に供給するステップと、
を含むことを特徴とする有機電界発光表示装置の駆動方法。
【請求項１０】
前記第１電源が供給された画素は、第１データ信号が供給されるとき、前記第１電源から有機発光ダイオードを経由して第２電源に電流を供給しながら発光することを特徴とする請求項９に記載の有機電界発光表示装置の駆動方法。
【請求項１１】
前記特定の画素に流れる前記電流に対応して前記感知抵抗に印加された電圧を増幅するステップと、
該増幅された電圧を直流電圧に変換し、所定の期間保持するステップと、
をさらに含むことを特徴とする請求項９に記載の有機電界発光表示装置の駆動方法。
【請求項１２】
データ信号は、前記画素が発光する第１データ信号及び前記画素が発光しない第２データ信号に分けられ、前記特定の画素には、前記１フレームに含まれた複数のサブフレームのうち、少なくとも１つのサブフレーム期間、前記第１データ信号が供給されることを特徴とする請求項９に記載の有機電界発光表示装置の駆動方法。
【発明の詳細な説明】
【技術分野】
【０００１】
本発明は、有機電界発光表示装置及びその駆動方法に関し、特に、温度及び有機発光ダイオードの抵抗の変化にもかかわらず、均一な輝度の映像を表示できるようにした有機電界発光表示装置及びその駆動方法に関する。
【背景技術】
【０００２】
近年、陰極線管（Ｃａｔｈｏｄｅ  Ｒａｙ  Ｔｕｂｅ）の短所である重量及び体積を減少させることができる各種平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ）などがある。
【０００３】
平板表示装置のうち、有機電界発光表示装置は、電子と正孔との再結合により発光する有機発光ダイオード（ＯＬＥＤ：Ｏｒｇａｎｉｃ  Ｌｉｇｈｔ  Ｅｍｉｔｔｉｎｇ  Ｄｉｏｄｅ）を用いて画像を表示する。このような有機電界発光表示装置は、速い応答速度を有するとともに、低消費電力で駆動されるメリットがある。
【０００４】
図１は、従来の有機電界発光表示装置の画素を示す回路図である。
【０００５】
同図に示すように、従来の有機電界発光表示装置の画素４は、有機発光ダイオードＯＬＥＤと、データ線Ｄｍ及び走査線Ｓｎに接続され、有機発光ダイオードＯＬＥＤを制御するための画素回路２とを備える。
【０００６】
有機発光ダイオードＯＬＥＤのアノード電極は、画素回路２に接続され、カソード電極は、第２電源ＥＬＶＳＳに接続される。このような有機発光ダイオードＯＬＥＤは、画素回路２から供給される電流に対応して所定の輝度の光を生成する。
【０００７】
画素回路２は、走査線Ｓｎに走査信号が供給されるとき、データ線Ｄｍに供給されるデータ信号に対応して、有機発光ダイオードＯＬＥＤに供給される電流量を制御する。このため、画素回路２は、第１電源ＥＬＶＤＤと有機発光ダイオードＯＬＥＤとの間に接続された第２トランジスタＭ２と、第２トランジスタＭ２、データ線Ｄｍ及び走査線Ｓｎの間に接続された第１トランジスタＭ１と、第２トランジスタＭ２のゲート電極と第１電極との間に接続されたストレージキャパシタＣとを備える。
【０００８】
第１トランジスタＭ１のゲート電極は、走査線Ｓｎに接続され、第１電極は、データ線Ｄｍに接続される。そして、第１トランジスタＭ１の第２電極は、ストレージキャパシタＣの一側端子に接続される。ここで、第１電極は、ソース電極及びドレイン電極のいずれか１つに設定され、第２電極は、第１電極と異なる電極に設定される。例えば、第１電極がソース電極に設定されると、第２電極はドレイン電極に設定される。走査線Ｓｎ及びデータ線Ｄｍに接続された第１トランジスタＭ１は、走査線Ｓｎから走査信号が供給されるときにターンオンされ、データ線Ｄｍから供給されるデータ信号をストレージキャパシタＣに供給する。このとき、ストレージキャパシタＣは、データ信号に対応する電圧を充電する。
【０００９】
第２トランジスタＭ２のゲート電極は、ストレージキャパシタＣの一側端子に接続され、第１電極は、ストレージキャパシタＣの他側端子及び第１電源ＥＬＶＤＤに接続される。そして、第２トランジスタＭ２の第２電極は、有機発光ダイオードＯＬＥＤのアノード電極に接続される。このような第２トランジスタＭ２は、ストレージキャパシタＣに格納された電圧値に対応して、第１電源ＥＬＶＤＤから有機発光ダイオードＯＬＥＤを経由して第２電源ＥＬＶＳＳに供給される電流量を制御する。このとき、有機発光ダイオードＯＬＥＤは、第２トランジスタＭ２から供給される電流量に対応する光を生成する。
【００１０】
実際、従来の有機発光表示装置の画素４は、前述した過程を繰り返して所定の輝度の画像を表示する。一方、第２トランジスタＭ２がスイッチとして動作するデジタル駆動では、第１電源ＥＬＶＤＤ及び第２電源ＥＬＶＳＳが有機発光ダイオードＯＬＥＤにそのまま供給され、これにより、有機発光ダイオードＯＬＥＤは、定電圧駆動により発光する。このようなデジタル駆動方式では、温度及び有機発光ダイオードＯＬＥＤの劣化による抵抗の増加などにより電流が敏感に変化し、これにより、所望の輝度の映像を表示できない問題が発生する。
【００１１】
詳細に説明すると、一般的に、温度の変化に対応して、画素回路２から有機発光ダイオードＯＬＥＤに供給される電流量が変化する。この場合、温度の変化に対応して表示される映像の輝度が変化する問題が発生する。また、有機発光ダイオードＯＬＥＤは、経時変化により劣化する。有機発光ダイオードＯＬＥＤが劣化すると、有機発光ダイオードＯＬＥＤの抵抗が増加し、これにより、同じ電圧に対応して有機発光ダイオードＯＬＥＤに流れる電流が減少し、輝度が低下する問題がある。
【００１２】
【特許文献１】韓国公開特許第１０−２００５−００５１３５３号公報
【特許文献２】韓国公開特許第１０−２００６−０１３４９３８号公報
【特許文献３】日本特開２００６−３０９１０４号公報
【発明の開示】
【発明が解決しようとする課題】
【００１３】
そこで、本発明の目的は、温度及び有機発光ダイオードの抵抗の変化にもかかわらず、均一な輝度の映像を表示できるようにした有機電界発光表示装置及びその駆動方法を提供することである。
【課題を解決するための手段】
【００１４】
上記の目的を達成するため、本発明の実施例に係る有機電界発光表示装置は、１フレームに含まれた複数のサブフレームの走査期間ごとに、走査線に走査信号を順次供給するための走査駆動部と、前記走査信号が供給されるとき、データ線にデータ信号を供給するためのデータ駆動部と、前記走査線及びデータ線の交差部に位置し、第２電源と電源線とを経由して第１電源が供給される画素を含む画素部と、該画素部に含まれ、前記第２電源と前記電源線とを経由することなく、電源ブロックから第３電源が供給される特定の画素と、該特定の画素に供給される電流量に対応して前記第３電源の電圧値を制御し、前記第３電源と同じ電圧値を有する前記第１電源を生成して前記画素に供給するための前記電源ブロックと、を備える。
【００１５】
好ましくは、前記電源ブロックは、前記第３電源を生成するための第１電源部と、該第１電源部と前記特定の画素との間に位置する感知抵抗と、前記特定の画素に流れる電流量に対応して前記感知抵抗に印加された電圧を増幅するための第１アンプと、該第１アンプに印加された電圧を直流電圧に変換し、所定の期間保持しつつ、前記第１電源部に供給するための第２アンプと、を備える。前記第１電源部は、前記特定の画素に所望の電流が流れたとき、前記感知抵抗に印加されるべき基準電圧と前記第２アンプから供給される電圧とを比較し、前記第２アンプから供給される電圧が前記基準電圧と同一になることができるように前記第３電源の電圧値を調整する。前記電源ブロックは、前記第１電源を生成するための第２電源部と、前記第１電源と前記第３電源との電圧値を比較するための比較部と、をさらに備える。前記第２電源部は、前記比較部の比較結果に対応して、前記第１電源と前記第３電源とが同じ電圧値に設定されるように前記第１電源の電圧値を調整する。前記第２アンプは、ピークツーピークホールドアンプ（Ｐｅａｋ  ｔｏ  Ｐｅａｋ  Ｈｏｌｄ  Ａｍｐ）である。前記データ駆動部は、前記走査信号が供給される期間、前記データ線に前記画素が発光する第１データ信号及び前記画素が発光しない第２データ信号のいずれか１つのデータ信号を供給する。前記データ駆動部は、前記１フレーム期間の少なくとも１つ以上のサブフレーム期間、前記第１データ信号を前記特定の画素に供給する。
【００１６】
本発明の実施例に係る、１フレームが複数のサブフレームに分けられて駆動される有機電界発光表示装置の駆動方法において、画素部に含まれた特定の画素に第３電源の電圧を供給するステップと、感知抵抗を用いて前記特定の画素に流れる電流に対応する電圧を取り出すステップと、前記特定の画素に所望の電流が流れたとき、前記感知抵抗に印加されるべき基準電圧と前記感知抵抗から取り出された電圧とが同一になることができるように前記第３電源の電圧を調整するステップと、前記第３電源と同じ電圧を有する第１電源の電圧を前記画素部に含まれる画素に供給するステップと、を含む。
【００１７】
好ましくは、前記第１電源が供給された画素は、第１データ信号が供給されるとき、前記第１電源から有機発光ダイオードを経由して第２電源に電流を供給しながら発光する。前記特定の画素に流れる前記電流に対応して前記感知抵抗に印加された電圧を増幅するステップと、該増幅された電圧を直流電圧に変換し、所定の期間保持するステップと、をさらに含む。データ信号は、前記画素が発光する第１データ信号及び前記画素が発光しない第２データ信号に分けられ、前記特定の画素には、前記１フレームに含まれた複数のサブフレームのうち、少なくとも１つのサブフレーム期間、前記第１データ信号が供給される。
【発明の効果】
【００１８】
本発明の実施例に係る有機電界発光表示装置及びその駆動方法によると、画素部に含まれる特定の画素に所望の電流が流れることができるように第３電源の電圧を制御し、残りの画素に供給される第１電源の電圧を第３電源と同一に設定することにより、画素において、温度及び有機発光ダイオードの抵抗の増加にもかかわらず、均一な輝度の画像を表示することができるメリットがある。また、本発明では、画素部に含まれた特定の画素を用いるため、デッドスペースなどが発生せず、不要光が発生しないという効果がある。
【発明を実施するための最良の形態】
【００１９】
以下、本発明の好ましい実施例を、添付された図２から図５を参照して詳細に説明する。
【００２０】
図２は、本発明の実施例に係る有機電界発光表示装置を示す図である。
【００２１】
同図に示すように、本発明の実施例に係る有機電界発光表示装置は、走査線Ｓ１〜Ｓｎ及びデータ線Ｄ１〜Ｄｍに接続された複数の画素４０を含む画素部３０と、走査線Ｓ１〜Ｓｎを駆動するための走査駆動部１０と、データ線Ｄ１〜Ｄｍを駆動するためのデータ駆動部２０と、走査駆動部１０及びデータ駆動部２０を制御するためのタイミング制御部５０と、画素部３０に含まれた複数の画素４０のうち、特定の画素４１に接続され、温度及び有機発光ダイオードの劣化が補償できるように第１電源ＥＬＶＤＤ１を生成するための電源ブロック１１０とを備える。
【００２２】
タイミング制御部５０は、外部から供給される同期信号に対応して、データ駆動制御信号ＤＣＳ及び走査駆動制御信号ＳＣＳを生成する。タイミング制御部５０で生成されたデータ駆動制御信号ＤＣＳは、データ駆動部２０に供給され、走査駆動制御信号ＳＣＳは、走査駆動部１０に供給される。そして、タイミング制御部５０は、外部から供給されるデータＤａｔａをデータ駆動部２０に供給する。
【００２３】
走査駆動部１０は、走査線Ｓ１〜Ｓｎに走査信号を順次供給する。ここで、走査駆動部１０は、図３のように、１フレーム１Ｆに含まれる複数のサブフレームの走査期間ごとに、走査線Ｓ１〜Ｓｎに走査信号を順次供給する。走査線Ｓ１〜Ｓｎに走査信号が順次供給されると、画素４０がラインごとに順次選択され、選択された画素４０は、データ線Ｄ１〜Ｄｍからデータ信号を受信する。
【００２４】
データ駆動部２０は、サブフレームの走査期間、走査信号が供給される度にデータ線Ｄ１〜Ｄｍにデータ信号を供給する。すると、走査信号により選択された画素４０にデータ信号が供給される。一方、本発明のデータ駆動部２０は、データ信号として、画素４０が発光する第１データ信号及び画素４０が発光しない第２データ信号を供給する。すると、サブフレームに含まれる発光期間に第１データ信号を受信した画素４０が、所定の期間（サブフレームの期間）発光し、所定の輝度の映像が表示される。
【００２５】
画素部３０は、電源ブロック１１０から供給される第１電源ＥＬＶＤＤ１を電源線ＶＬを経由して画素４０に供給する。また、画素部３０は、外部から供給される第２電源ＥＬＶＳＳを画素４０に供給する。第１電源ＥＬＶＤＤ１及び第２電源ＥＬＶＳＳが供給された画素４０のそれぞれは、走査信号が供給されるときにデータ信号を受信し、受信されたデータ信号に対応して発光または非発光となる。ここで、第１電源ＥＬＶＤＤ１は、第２電源ＥＬＶＳＳより高い電圧値に設定される。
【００２６】
一方、画素部３０には、電源線ＶＬに接続されていない特定の画素４１が含まれる。特定の画素４１は、電源ブロック１１０に直接接続され、電源ブロック１１０から第３電源ＥＬＶＤＤ２が供給される。
【００２７】
電源ブロック１１０は、温度及び有機発光ダイオードの劣化にもかかわらず、特定の画素４１に含まれた有機発光ダイオードに一定の電流が供給できるように第３電源ＥＬＶＤＤ２の電圧値を調整する。そして、電源ブロック１１０は、電圧値が調整された第３電源ＥＬＶＤＤ２の電圧及び第１電源ＥＬＶＤＤ１の電圧値を同一に設定した後、第１電源ＥＬＶＤＤ１を画素部３０に供給する。
【００２８】
このため、電源ブロック１１０は、感知抵抗Ｒｓ、第１アンプ６０、第２アンプ７０、第１電源部８０、比較部９０、及び第２電源部１００を備える。
【００２９】
感知抵抗Ｒｓには、第３電源ＥＬＶＤＤ２に対応して、特定の画素４１に流れる電流に対応する電圧が印加される。
【００３０】
第１アンプ６０は、感知抵抗Ｒｓに印加される電圧を増幅して第２アンプ７０に供給する。すなわち、第１アンプ６０は、感知抵抗Ｒｓに流れる電流量を検出する。
【００３１】
第２アンプ７０は、ピークツーピークホールドアンプ（Ｐｅａｋ  ｔｏ  Ｐｅａｋ  Ｈｏｌｄ  Ａｍｐ）である。第２アンプ７０は、第１アンプ６０から供給される電圧をＤＣ電圧に変換し、このＤＣ電圧を所定の期間第１電源部８０に供給する。
【００３２】
第１電源部８０は、第２アンプ７０から供給される電圧と内部の基準電圧とが同一になるように第３電源ＥＬＶＤＤ２の電圧値を制御する。ここで、基準電圧は、特定の画素４１に所望の電流が流れたとき、感知抵抗Ｒｓに印加されるべき理想的な電圧値に設定される。したがって、第３電源ＥＬＶＤＤ２の電圧値を調整して第２アンプ７０から供給される電圧と基準電圧とが同一になるように設定すると、特定の画素４１に所望の電流が流れることができる。
【００３３】
第１電源部８０で生成された第３電源ＥＬＶＤＤ２は、比較部９０に供給される。比較部９０は、第２電源部１００で生成される第１電源ＥＬＶＤＤ１と第３電源ＥＬＶＤＤ２との電圧値を比較し、第２電源部１００に供給する。すると、第２電源部１００は、第３電源ＥＬＶＤＤ２と同じ値になるように第１電源ＥＬＶＤＤ１の電圧値を調整し、調整された第１電源ＥＬＶＤＤ１を画素部３０に供給する。
【００３４】
図４は、電源ブロックと特定の画素との接続構成を示す図である。
【００３５】
同図を参照して動作過程を詳細に説明すると、まず、第ｎ走査線Ｓｎに走査信号が供給されるとき、データ線Ｄｍにデータ信号が供給される。ここで、データ線Ｄｍに供給されるデータ信号は、特定の画素４１の発光のための第１データ信号として設定されると仮定する。実際、データ駆動部２０は、１フレーム期間、少なくとも１つのサブフレーム期間に特定の画素４１が発光できるようにデータ信号を制御する。例えば、１フレーム期間、全画面でブラックが表現される場合、特定の画素４１は、１階調の輝度が表現できるようにデータ信号が供給される。この場合、特定の画素４１で１階調の輝度が表現されても、画質に大きな影響を及ぼさない。
【００３６】
データ線Ｄｍに第１データ信号が供給されると、第２トランジスタＭ２がターンオン状態に設定される。この場合、第１電源部８０から特定の画素４１に供給される第３電源ＥＬＶＤＤ２に対応して、有機発光ダイオードＯＬＥＤに所定の電流が流れる。このとき、感知抵抗Ｒｓには、所定の電流に対応する電圧が印加される。
【００３７】
第１アンプ６０は、感知抵抗Ｒｓに感知された抵抗を増幅して第２アンプ７０に伝達する。第２アンプ７０は、第１アンプ６０から供給される電圧を直流電圧（ＤＣ電圧）として第１電源部８０に供給する。そして、第２アンプ７０は、第１アンプ６０から次回の電圧が供給されるまでＤＣ電圧を保持する。
【００３８】
詳細に説明すると、感知抵抗Ｒｓには、図５のように、１フレーム期間、少なくとも１回以上所定の電流が流れる。第２アンプ７０は、少なくとも１回以上電流が流れるとき、感知抵抗Ｒｓ及び第１アンプ６０を経由して供給された電圧を直流電圧に変換し、変換された値を次の電圧値が供給されるまで、所定の期間保持しつつ、第１電源部８０に供給する。
【００３９】
第１電源部８０は、第２アンプ７０から供給された電圧と基準電圧とを比較し、基準電圧と供給された電圧とが同じ（または類似した）値を有するように第３電源ＥＬＶＤＤ２を制御する。その後、第３電源ＥＬＶＤＤ２は、比較部９０に供給される。
【００４０】
比較部９０は、第３電源ＥＬＶＤＤ２と第１電源ＥＬＶＤＤ１との電圧値を比較し、第２電源部１００に供給する。第２電源部１００は、比較部９０の結果に対応して、第１電源ＥＬＶＤＤ１の電圧値が第３電源ＥＬＶＤＤ２と同一になるように第１電源ＥＬＶＤＤ１の電圧値を調整し、調整された第１電源ＥＬＶＤＤ１を電源線ＶＬを経由して画素４０に供給する。すると、画素４０では、温度及び有機発光ダイオードの抵抗の増加にもかかわらず、所望の輝度の画像を表示することができる。
【００４１】
詳細に説明すると、本発明では、画素部３０に含まれた特定の画素４１に流れる電流が所望の電流になることができるように第３電源ＥＬＶＤＤ２の電圧値を調整し、第３電源ＥＬＶＤＤ２と同じ電圧値に第１電源ＥＬＶＤＤ１の電圧値を設定する。すると、画素部３０に含まれた画素４０において、温度及び有機発光ダイオードの抵抗の増加にもかかわらず、データ信号に対応して所望の電流が流れることができ、これにより、所望の輝度の画像を表示することができるメリットがある。また、本発明では、別途に追加される画素なしに、画素部３０に含まれた特定の画素４１を用いるため、別途にデッドスペースが発生しないメリットがある。そして、本発明では、特定の画素４１を用いて画素４０のそれぞれに所望の電流が流れることができるように制御するため、正確に所望の輝度を表現することができる効果がある。
【００４２】
本発明の技術思想は、前述した望ましい実施例により具体的に記述されたが、前記実施例は、その説明のためのものであり、その制限のためではないことを注意しなければなない。また、本発明の技術分野における通常の知識を有する者であれば、本発明の技術思想の範囲内で多様な変形例が可能であることを理解すべきである。
【図面の簡単な説明】
【００４３】
【図１】従来の有機電界発光表示装置の画素を示す図である。
【図２】本発明の実施例に係る有機電界発光表示装置を示す図である。
【図３】本発明の１フレームを示す図である。
【図４】図２における電源ブロックと画素との接続構造を示す図である。
【図５】図２における感知抵抗に流れる電流を示す図である。
【符号の説明】
【００４４】
１０；走査駆動部
２０；データ駆動部
３０；画素部
４０；画素
４１；特定の画素
５０；タイミング制御部
６０；第１アンプ
７０；第２アンプ
８０；第１電源部
９０；比較部
１００；第２電源部
１１０；電源ブロック
【図１】
2009031711.tif 000003
【図２】
2009031711.tif 000004
【図３】
2009031711.tif 000005
【図４】
2009031711.tif 000006
【図５】
2009031711.tif 000007